(57)【要約】      （修正有）【課題】簡単、かつ、低コストで製造することができる包装用袋体分配箱を提供する。【解決手段】包装用袋体分配箱１００は、正面部１０１と、右側面部１０２と、左側面部１０３と、底面部１０４と、天面部１０５と、背面部１０６とが連設されて形成される箱体である。天面部１０５は、正面部１０１と連設する部分まで手前に向かって傾斜しており、右側面部１０２と左側面部１０３も合わせて傾斜する形状になっている。天面部１０５の中央付近には、引出孔１０７が設けられている。また、天面部１０５の上部には、天面部１０５の長手方向に沿ってフラップ１０８が設けられている。【選択図】図１
0003135966.tif 000002
【実用新案登録請求の範囲】
【請求項１】
包装用袋素材を収納し、紙素材で形成された箱体であって、
前記箱体は、正面部、右側面部、左側面部、天面部、背面部とからなり、
前記背面部の上部には、フラップが設けられ、
前記天面部には、前記包装用袋素材を引き出すための引出孔が設けられ、
前記フラップには、引き出した前記包装用袋素材を通すための開口部と、該開口部の直下に切断手段が設けられていることを特徴とする包装用袋体分配箱。
【請求項２】
前記開口部は、下に向かって幅狭くなる形状であることを特徴とする請求項１記載の包装用袋体分配箱。
【請求項３】
前記天面部は、前記正面部に向かって傾斜して連設されていることを特徴とする請求項１または２記載の包装用袋体分配箱。
【考案の詳細な説明】
【技術分野】
【０００１】
本考案は、包装用袋素材を封入した箱体に関するものであり、特に、紙素材で簡易構成され、廉価に提供することができる包装用袋体分配箱に関するものである。
【背景技術】
【０００２】
従来から利用されているプラスチック製の包装袋は、柔軟で嵩張らず耐水性を有し、強靭であるといった特性を有することから、雑貨、食品または小物等の種々の物品を包装するために用いられている。この包装袋は、一般に、一方を残してその他の周辺部をシールして１枚ずつに形成されている。
【０００３】
しかし、従来の包装袋においては、物品の大きさや形状等に応じたものを何種類も用意しなければならないという問題があった。このため、例えば、特許文献１に開示されるように、プラスチックフィルムからなる長さ自在の袋用連続チューブと、この袋用連続チューブを巻回した状態で収納しかつ取り出すようにしたパッケージと、パッケージに収納された袋用連続チューブを取り出し口から取り出し所定長で切断するために切断部と、が設けられた包装用袋体分配装置が提案されている。
【０００４】
なお、このパッケージは、台紙と、この台紙の主面に接合されることにより包装用袋素材を封装する収納空間部を構成する略薄箱状のブリスタとからなり、台紙には、上述したように、切断部が設けられ、ブリスタの主面には袋用連続チューブを取り出すための取出用孔が設けられている。この包装用袋体分配装置によれば、ブリスタの取出孔から必要な長さで引き出して切断部で切断し、切断した袋用連続チューブの一方あるいは両方の端部を結べば、任意の大きさの包装袋を形成することができる。
【特許文献１】実用新案登録第３０９７４３７号公報
【考案の開示】
【考案が解決しようとする課題】
【０００５】
しかしながら、特許文献１で提案されている包装用袋体分配装置によれば、以下のような問題があった。
（１）特許文献１で提案されている包装用袋体分配装置は、紙素材からなる台紙と、ポリ塩化ビニル等のプラスチック素材で成形されているブリスタとから構成されており、使用済みの際にその装置（箱体）を処分する時には、環境問題を考慮すると、台紙とブリスタとを分離する必要があるが、封装されている包装用素材を引出孔から引き出す時の引っ張る力に耐えうるように、台紙にブリスタが強固に接続されているため、台紙とブリスタとがきれいに剥がれなかったり、剥がす作業自体が面倒であったり、また、紙素材とプラスチック素材との分別処理の妨げの要因となる。
【０００６】
（２）また、包装用袋体分配装置を製造する際に、台紙を製造する工程と、ブリスタを製造する工程と、ブリスタ内に袋用連続チューブを収納する工程と、袋用連続チューブを収納したブリスタと台紙とを接合させる工程等といった複数の工程を必要とするために、工程自体が繁雑になり、かつ、ブリスタがポリ塩化ビニル等のプラスチック素材で形成されるものであるため、コスト高の原因となってしまうという問題もある。
【０００７】
従って、本発明の目的は、簡単に、かつ、低コストで製造することができる包装用袋体分配箱を提供することにある。
【課題を解決するための手段】
【０００８】
本発明は、上記目的を達成するために、包装用袋素材を収納し、紙素材で形成された箱体であって、前記箱体は、正面部、右側面部、左側面部、天面部、背面部とからなり、前記背面部の上部には、フラップが設けられ、前記天面部には、前記包装用袋素材を引き出すための引出孔が設けられ、前記フラップには、引き出した前記包装用袋素材を通すための開口部と、該開口部の直下に切断手段が設けられていることを特徴とする包装用袋体分配箱を提供するものである。
【０００９】
以上の構成において、前記開口部は、下に向かって幅狭くなる形状であることが望ましい。
【００１０】
また、前記天面部は、前記正面部に向かって傾斜して連設されていることが望ましい。
【考案の効果】
【００１１】
本考案によれば、紙素材で形成された箱体であり、この箱体が、正面部、右側面部、左側面部、天面部、背面部とからなり、背面部の上部にフラップを設け、天面部に包装用袋素材を引き出すための引出孔を設け、フラップに引き出した包装用袋素材を通すための開口部と、その開口部の直下に切断手段を設けるようにしたので、紙素材でできたシート状のものを組み立てることで簡易に製作することができ、かつ、廉価に提供することができる。また、開口部が幅狭くなるような形状であるために、指が入り込むといったことがなく、切断部で指を怪我するといったことを防止することができる。
【考案を実施するための最良の形態】
【００１２】
次に、図面を参照して本実施形態に係る考案を説明する。
図１は、包装用袋体分配箱の構成を示した斜視図である。  
包装用袋体分配箱１００は、正面部１０１と、右側面部１０２と、左側面部１０３と、底面部１０４と、天面部１０５と、背面部１０６とが連設されて形成される箱体である。天面部１０５は、正面部１０１と連設する部分まで手前に向かって傾斜しており、右側面部１０２と左側面部１０３も合わせて傾斜する形状になっている。天面部１０５の中央付近には、引出孔１０７が設けられている。また、天面部１０５の上部には、天面部１０５の長手方向に沿ってフラップ１０８が設けられている。
【００１３】
フラップ１０８の中央付近には、開口部１０９が設けられ、この開口部１０９の下部には切断部１１０が設けられている。この開口部１０９は、下へ向かって行くにしたがって幅狭くなる形状をしている。このため、後述する包装用袋素材を切断する際に、切断部１１０へのガイドをしやすくすると共に、使用者が切断部１０９で怪我しないように、指が入り込むことがないようにしている。切断部１１０は、金属製もしくはプラスチック製の刃をフラップ１０８内に設けられている。
【００１４】
一方、この包装用袋体分配箱１００の内部には、包装用袋素材２００が収納されている。包装用袋素材２００は、薄厚であり十分な強度と可撓性を有する適宜の樹脂材、例えば、ポリエチレン、ポリプロピレン、ポリ塩化ビニル等の樹脂シートをインフレーション加工等によってシームレスの長尺に成形したチューブ体が用いられる。このチューブ体素材に炭酸カルシウムを混入させることで、可撓性をさらに増加させることができる。また、チューブ体そのものを生分解性プラスチックで成形すれば、チューブ体を廃棄する際に環境への負荷を低減することができる。包装用袋素材２００は、このチューブ体を巻芯の外周部に巻回した後に、巻芯から取り外したコイル体を扁平に押し潰して形成する。この包装用袋素材２００は、内周側から端部２０１を引出孔１０７から外方へと引き出される。なお、包装用袋素材２００は、幅広のシート体を幅方向に適宜折り畳んだ状態で巻芯に巻回すようにしてもよい。
【００１５】
図２は、この包装用袋体分配箱１００の展開図である。
図に示すように、包装用袋体分配箱１００は、正面部１０１と右側面部１０２とは、折り目線４０１を介して連設され、左側面部１０３とは折り目線４０２を介して連設されている。また、底面部１０４とは折り目線４０３を介して連設され、天面部１０５とは折り目線４０４を介して連設されている。右側面部１０２は、折り目線４０５を介して背面部１０６と連設されており、背面部１０６は、折り目線４０６を介して底面部１０４と連設されており、折り目線４０７を介してフラップ１０８と連設されている。また、折り目線４０８を介して貼着片１１４と連設されている。さらに、フラップ１０８の上部には、フラップ１０８を折り目線１０７を介して折り曲げたときに、切断部１１０を挟むことができる貼着片１１５が設けられている。
【００１６】
また、右側面部１０２は、折り目線４０９を介して貼着片１１１と連設しており、折り目線４１２を介して貼着片１１６と連設している。天面部１０５は、折り目線４１１を介して貼着片１１３と連設されている。また、左側面部１０３は、折り目線４１０を介して貼着片１１２と連設しており、折り目線４１３を介して貼着片１１７と連設している。背面部１０６の折り目線１０７の上下に対向するようにして開口部１０９が設けられている。これは、フラップ１０８を折り目線４０７に沿って折り曲げることにより、互いの開口部１０９が合わさるようになるためである。このように、包装用袋体分配箱１００は、紙素材で形成されたシート状のものに折り目線を設けたものであり、表面には、文字や絵柄等が印刷されている。
【００１７】
これを包装用袋体分配箱１００として組み立てるためには、まず、図２に示す展開状態から、正面部１０１と、右側面部１０２と、左側面部１０３と、底面部１０４と、貼着片１１１，１１２，１１４を折り目線４０１〜４０３、４０５〜４１０に沿って折り曲げ、底面部１０４の裏面に貼着片１１１，１１２を接着させ、貼着片１１４を左側面部１０３の裏面に接着させることで有底の筒状とし、開口している上部から包装用袋素材２００を充填する。
【００１８】
そして、この充填された包装用袋素材２００の内周側から端部２０１を天面部１０５に設けられている引出孔１０７に通した後、天面部１０５を折り目線４０４に沿っており曲げ、貼着片１１５によって切断手段１１０を固定する。次に、貼着片１１３を折り目線４１１に沿って折り曲げ、貼着片１１６を折り目線４１２の沿って折り曲げ、貼着片１１７を折り目線４１３に沿って折り曲げる。それと同時に、天面部１０５を貼着片１１６，１１７に接着させると同時に、貼着片１１３をフラップ１０８の表面に接着させることで包装用袋体分配箱１００を組み立てることができる。
【００１９】
図３は、包装用袋体の斜視図である。
図１に示したように、包装用袋素材２００を引出孔１０７から端部２０１を引き出し、端部２０１を開口部１０９へ通し、適宜の位置で切断手段１１０によって切断することによって、適宜の長さを有するチューブ体が形成される。そして、図３に示すように、包装用袋素材２００の一端側に結び目３０１を作ったり、結束ワイヤ等で結んだりすることにより、切断長に応じた任意の大きさの包装用袋体３００を構成することができる。包装用袋体３００は、開口している側から物品が入れられこれを収納することができる。なお、包装用袋体３００は、物品を収納した後に開口している側も結束することによって物品を封入することも可能である。
【００２０】
以上の説明から、本実施形態に係る包装用袋体分配箱は、紙素材でできており、折り目線が設けられたシート状のものを組み立て、包装用袋素材を封入したものからできているため、コストを大幅に低減することができ、廉価に提供することができる。また、紙素材でできているため、箱体全体に広告等を印刷することができる。また、使用済みになったものを廃棄する場合には、紙素材であるため、分別する必要がなく環境にも影響を与えることがない。また、フラップに設けられている開口部は、幅狭くなる形状であるため、指が入りにくいことから使用する際に指が入り込み、切断部で怪我をするといったことを予防することができる。また、フラップの部分は表裏貫通しているので、例えば、販売時に展示する際にフック状のものに掛けて展示することも可能である。更に、点面部がある程度急峻な斜面を形成しているので、この部位に広告やコピー等を印刷すると、広告効果も高まるという効果もある。
【図面の簡単な説明】
【００２１】
【図１】本実施形態に係る包装用袋体分配箱の構成を示した斜視図である。
【図２】包装用袋体分配箱の展開図である。
【図３】包装用袋体の斜視図である。
【符号の説明】
【００２２】
１００    包装用袋体分配箱
１０１    正面部
１０２    右側面部
１０３    左側面部
１０４    底面部
１０５    天面部
１０６    背面部
１０７    引出孔
１０８    フラップ
１０９    開口部
１１０    切断部
１１１、１１２、１１３、１１４    貼着片
２００    包装用袋素材
２０１    端部
３００    包装用袋体
３０１    結び目
４０１〜４１１    折り目線
【図１】
0003135966.tif 000003
【図２】
0003135966.tif 000004
【図３】
0003135966.tif 000005